(57)【特許請求の範囲】
【請求項１】
設計された製品に割り付けられた割付部材の種類を示す表示を有する図面を出力する設計支援装置であって、設計された製品に割り付けられた部材に関するデータを記憶した記憶手段と、上記記憶手段のデータに基づいて出力すべき図面上に上記割付部材の種類を示す表示を付加する割付部材表示手段とを具備してなり、上記記憶手段には、上記製品に割り付けられた割付部材の部材コードと上記製品における上記割付部材の割付位置とが登録された割付部材コードファイルと、上記部材コードとこの部材コードに対応する上記表示の種類を示す表示コードとが登録された図面表示制御ファイルとが記憶され、上記割付部材表示手段は、上記割付部材コードファイルに登録された部材コードに基づいて図面表示制御ファイルを検索して、上記部材コードに対応する表示コードの有無を判断し、上記部材コードに対応する表示コードが有る場合に、上記部材コードに対応する割付部材コードファイルの割付位置と図面表示制御ファイルの表示コードとに基づいて、出力すべき図面上に割付部材の種類を示す表示を付加することを特徴とする設計支援装置。
【発明の詳細な説明】
【０００１】
【産業上の利用分野】
本発明は、設計された製品に割り付けられた割付部材の種類を示す表示を有する図面を出力する設計支援装置に関する。
【０００２】
【従来の技術】
近年、住宅の設計においても設計支援装置としてのＣＡＤ（computer aided design） システムが用いられるようになった。
従来の住宅設計用のＣＡＤ システムにおいては、住宅の間取りの決定や、住宅を支持する躯体の割付や、窓やドアや階段等の建具の配置等を行うことができ、図面の製作等において、住宅の設計の省力化を図ることができた。
【０００３】
すなわち、予め、ＣＡＤシステム内に部材のデータとして、部材の形状や図形やその他の関連するデータを登録し、これを用いることにより、住宅の設計の省力化を図ることができた。
【０００４】
また、住宅用のＣＡＤ システムとしては、建築資材等の部材発注書の作成、顧客に提出する見積書の作成、建築現場の作業者に提出する設計図や指示書等の作成においても省力化を図ることが求められている。
【０００５】
【発明が解決しようとする課題】
ところで、住宅用のＣＡＤ システムにおいては、例えば、設計された住宅を示す図面として間取り図等を出力することができるようになっているが、上記間取り図では、部屋割りや収納や各種建具の位置は容易にわかるが、例えば、床の仕上材の種類は、フローリング、カーペット、シート床材等の記載がなければ、わからない状態であった。
【０００６】
そこで、ＣＡＤ システムのソフトウエア上で、間取り図上の各部屋の領域に例えば、パターン図形や色により、床の仕上材を認識できるようにすることが考えられる。
すなわち、ＣＡＤ の図面出力用のプログラムにより、床に床仕上材として割り付けられた部材の種類に対応して、上記間取り図上の各部屋の領域に、パターンや色を配置することが可能である。
【０００７】
しかし、住宅用のＣＡＤ システムにおいては、ＣＡＤ システム内で運用される部材と、実際に住宅に使用される部材を完全に対応するようにした場合には、各部材において、生産中止や新製品の発売等により、比較的頻繁に部材に変更が生じることになる。
【０００８】
この際に、上記図面出力用のプログラムにおいて、各床仕上材に対応して上記パターンや色を決めていた場合には、上記図面出力用のプログラムに修正が必要となり、ＣＡＤ システムの維持管理に手間とコストがかかることになる。
また、各部材に対応するパターンや色を変更する場合にも、上記図面出力用のプログラムの修正が必要となり手間がかかるという問題があった。
【０００９】
本発明は、上記事情に鑑みてなされたものであり、床仕上材等のように図面から部材の種類を認識することが困難な部材において、図面上において容易に種類の違いが認識できるように、上記部材の種類に対応して上記図面上にパターンもしくは色を表示するようにするとともに、各部材に対応するパターンや色を決めた後に、容易に決められた部材やパターンや色を変更することが可能な設計支援装置を提供することを目的とするものである。
【００１０】
本発明の設計支援装置は、設計された製品に割り付けられた割付部材の種類を示す表示を有する図面を出力する設計支援装置であって、設計された製品に割り付けられた部材に関するデータを記憶した記憶手段と、上記記憶手段のデータに基づいて出力すべき図面上に上記割付部材の種類を示す表示を付加する割付部材表示手段とを具備してなり、上記記憶手段には、上記製品に割り付けられた割付部材の部材コードと上記製品における上記割付部材の割付位置とが登録された割付部材コードファイルと、上記部材コードとこの部材コードに対応する上記表示の種類を示す表示コードとが登録された図面表示制御ファイルとが記憶され、上記割付部材表示手段は、上記割付部材コードファイルに登録された部材コードに基づいて図面表示制御ファイルを検索して、上記部材コードに対応する表示コードの有無を判断し、上記部材コードに対応する表示コードが有る場合に、上記部材コードに対応する割付部材コードファイルの割付位置と図面表示制御ファイルの表示コードとに基づいて、出力すべき図面上に割付部材の種類を示す表示を付加することを上記課題を解決する手段とした。
【００１１】
【作用】
上記構成によれば、上記割付部材表示手段が、上記割付部材コードファイルに登録された部材コードに基づいて図面表示制御ファイルを検索して、上記部材コードに対応する表示コードの有無を判断し、上記部材コードに対応する表示コードが有る場合に、上記部材コードに対応する割付部材コードファイルの割付位置及び図面表示制御ファイルの表示コードに基づいて、出力すべき図面上に割付部材の種類を示す表示を付加することになっているので、設計支援装置上に新たに割付可能な部材が登録され、かつ、上記製品に割り付けられて上記割付部材コードファイルに上記新たな部材の部材コードが登録されるようになった場合には、上記図面表示制御ファイルに新たな部材の部材コードと該部材コードに対応する表示コードを登録することにより対応することができる。
【００１２】
また、各部材に対する表示を変更したい場合には、上記図面表示制御ファイルにおいて表示コードを変更することにより対応することができる。
従って、新たな部材の追加や、表示の変更は、上記割付部材表示手段の変更を必要とせず、単に、図面表示制御ファイルにおいて、部材コードを追加したり、表示コードを変更することにより容易に対応することができる。
【００１３】
【実施例】
以下に、本発明の一実施例を図面を参照して説明する。
この実施例の設計支援装置は、床、壁、屋根等がパネルから構築される住宅の設計に用いられるものである。
なお、上記設計支援装置は、住宅の間取りや各種建具や各種仕上部材等の配置（住宅の意匠）を入力するための意匠入力機能と、上記意匠において、床、壁、屋根等にパネルを配置するとともに、その他の躯体となる部材や該部材及び上記パネルに付随する部材を配置し、かつ、住宅の必要強度をチェックする構造決定機能と、上記意匠入力及び構造決定において割り付けられた部材に基づいて、設計される住宅の見積りを求める積算機能とを有するものである。
【００１４】
そして、図１に示すように、本実施例の設計支援装置は、ＣＡＤ システムとしていわゆる一般的なコンピュータシステムとしてのシステム構成を有するものであり、図示しないＣＰＵ（central processing unit）、ＲＡＭ（random access memory）、ＲＯＭ（read only memory）等から構成される演算処理装置（コンピュータ本体）１と、ハードディスクドライブ等からなる記憶装置２と、キーボード及びマウス、タブレット、デジタイザーなどのポインティングデバイスからなる入力装置３と、ＣＲＴディスプレイ等のディスプレイからなる表示装置４と、プリンタやプロッター等からなるハードコピーの出力装置５とを有するものである。
【００１５】
そして、上記記憶装置２には、後述する部材コードに対応して上記設計支援装置上で用いられる住宅の各種部材のデータを登録した部材データベース２ａと、上記設計支援装置上で設計された一つの住宅に上記設計支援装置上で割り付けられた部材の部材コードを登録した割付部材コードファイル２ｂと、後述するパターン図形の種類に対応する表示コードが上記部材コードに対応して登録された図面表示制御ファイル２ｃと、上記表示コードに対応して様々のパターン図形が登録されたパターン図形ファイル２ｄとが記憶されている。
【００１６】
上記割付部材コードファイル２ｂにおいては、上記設計支援装置上での操作により設計される住宅に割り付けられる部材の部材コードが登録されることになる。
また、割付部材コードファイル２ｂには、登録された各部材の部材コードに対応して割付位置が登録されている。
なお、割付部材コードファイル２ｂは、基本的に、設計された各住宅毎に割り付けられた部材のデータを一軒毎にまとめたものであり、必要により各部材の割付位置以外に、他のデータも登録されるようになっており、例えば、床仕上材のような部材には、その敷き方向が図面上において上下方向か左右方向かを示すデータが登録されるようになっている。
【００１７】
たとえば、部材をカーペットとした場合には、カーペットの部材コードと、カーペットを割り付ける割付位置としての部屋の階数及び部屋名と、カーペットの敷き方向とが登録されている。
また、上記部材コードは、設計支援装置における住宅の設計に際し、住宅に部材を割り付けた場合に、部材データベース２ａを参照して登録されるものである。
【００１８】
上記部材データベース２ａは、上述のような部材コードに対応して部材の各種データを登録したものであり、たとえば、部材の製品名、製品番号、各種価格（発注用価格、マージン、施工費用等）、工事の種類（電気関係、水道関係、基礎関係等）、各部材の施工種類（たとえば、内部天井仕上材、内部床仕上材、内壁仕上材、外壁仕上材、外部屋根仕上材）等の見積り用のデータと、図形データ、形状データ等の図面出力用のデータなどの各部材に対する様々なデータが登録されている。
【００１９】
上記図面表示制御ファイル２ｃは、間取り図を出力する際に、各部屋領域に割り付けられた床仕上材の種類を示すパターン図形に対応した表示コードと、床仕上材の部材コードとを対応せて登録したものである。
なお、図２は、上記図面表示制御ファイル２ｃのデータの一例を表として示したものである。また、図２には、部材の種類が記載されているが、これは参考のために加えたものであり、図面表示制御ファイル２ｃに部材の種類が登録される必要はない。
【００２０】
そして、上記床仕上材には、フローリング等の木製床材、シート床材、カーペット、畳等の種類があるとともに、各種類には、様々な床仕上材の製品があり、部材コードは、この実施例の設計支援装置上で使用可能な全ての床仕上材の製品毎に異なるものである。
【００２１】
また、本実施例においては、設計支援装置により割り付けられる床仕上材の種類が、木製床材、シート床材、カーペット、畳の４種類とされ、かつ、間取り図上に床仕上材の種類を示すパターン図形を付加するのは、カーペットとシート床材との二つとされている。
【００２２】
なお、パターン図形を用いる床仕上材をカーペットとシート床材との二つとしたのは、床仕上材が畳の場合に、畳の配置が間取り図上に図示されるので、容易に床仕上材が畳であることを認識できることと、残りの三種類の床仕上材のうちの二つにパターン図形を当てはめた場合に、畳の配置もパターン図形も描かれていない部屋の領域が、残りの一つの床仕上材が割り付けられた領域であることを認識できるためである。
【００２３】
従って、図２に示すように表示コードは、ａとｂとの二種類となっているとともに、部材の種類がカーペットもしくはシート床材の場合にだけ表示コードが登録されている。
そして、カーペットには、例えば図３に示す間取り図の部屋領域１０に示すような互いに平行な斜線のパターン図形が用いられ、シート床材には、例えば図３に示す間取り図の部屋領域１１に示すような複数の上下の線のパターン図形が用いられるようになっている。
【００２４】
なお、図３及び図４は、この実施例の設計支援装置から出力された間取り図の一例を示すものであり、それぞれ一つの住宅の一階Ａと二階Ｂの間取りを示すものである。また、図３及び図４の間取り図は、主に床仕上げ材の種類を示すための間取り図であり、建具や設備等の部材の図示を省略した間取り図である。
【００２５】
上記表示パターンファイル２ｄには、上記表示コードと、該表示コードに対応した図形データとしてのパターン図形が登録されている。
なお、この実施例においては、表示コードとパターン図形とは、２種類しか用いられないが、多くの表示コードと、該表示コードに対応する多くのパターン図形を登録しておくことにより、後述するように容易に床仕上材に対応するパターン図形を変更することができる。
【００２６】
そして、上記演算処理装置１は、周知の設計支援装置としての機能を有するとともに間取り図上に床仕上材の種類を表示する割付部材表示手段としての機能を有するものとなっている。
【００２７】
そして、演算処理装置１は、設計支援装置から間取り図を出力するに際して、上記割付部材コードファイル２ｂから部材コードと該部材コードに対応する割付位置とを読み込み、該部材コードに基づいて上記図面表示制御ファイル２ｃを検索し、上記部材コードに対応して表示コードが登録されているかどうかを判断し、表示コードが登録されている場合に、上記パターン図形ファイル２ｄの上記表示コードに対応するパターン図形を読み込み、上記間取り図上の上記部材コードに対応する割付位置と一致する部屋領域に上記パターン図形を付加する機能を有する。
【００２８】
次に、上記構成の設計支援装置における間取り図上への床仕上材の種類を示すパターン図形の付加方法を説明する。
まず、上記設計支援装置においては、周知のＣＡＤ システムとして住宅の設計が行われる。この際には、設計すべき住宅に様々な部材が割り付けられることになる。すなわち、上記記憶装置２の部材データベース２ａ上の部材が、随時選択され上記住宅に割り付けられることになる。
【００２９】
そして、上記部材データベース２ａ上の部材が割り付けられた際には、上記演算処理装置１により、上記記憶装置２の割付部材コードファイル２ｂに、割り付けられた部材の部材コードと、割り付けられた割付位置とが登録される。
また、上記設計支援装置上での設計に伴い、上記部材データベース２ａ上の部材の図形データや形状データと、設計支援装置上での作図データにより間取り図を含む各種図面が周知の方法により作成される。
【００３０】
そして、間取り図の出力に当たっては、まず、演算処理装置１が、割付部材コードファイル２ｂの部材コードを読み込む。
次に、演算処理装置１は、図面表示制御ファイル２ｃを読み込み、上記割付部材コードファイル２ｂの部材コードが、上記図面表示制御ファイル２ｃに登録されているかどうかを判断する。
【００３１】
そして、図面表示制御ファイル２ｃに上記割付部材コードファイル２ｂの部材コードが登録されていた場合には、さらに、上記図面表示制御ファイル２ｃに上記部材コードに対応する表示コードが登録されているかどうかを判断する。
そして、上記図面表示制御ファイル２ｃに、表示コードが登録されていた場合には、上記表示コードを読み込むととも、該表示コードに対応する部材コードの割付位置を上記割付部材コードファイル２ｂから読み込む。
【００３２】
また、上記パターン図形ファイル２ｄから上記表示コードに対応するパターン図形を読み込む。
そして、上記設計支援装置上で作成された間取り図上において、上記割付位置に対応する部屋領域に上記パターン図形を割り付ける。
【００３３】
なお、この際には、上記部屋領域の中央部には、パターン図形を割り付けずに白抜きの状態とし、場合によっては、部屋名を表示できるようにする。
また、割付部材コードファイル２ｂに登録された床仕上材の敷きを矢印として、図３及び図４に示すように割り付ける。
【００３４】
なお、パターン図形の割付をさらに具体的に説明すると、例えば、割付部材コードファイルに、部材コードとしてＹＣ−４１４４という部材コードが登録されているとともに、この部材コードに対応する割付位置として、一階の洋間１が登録されていた場合には、まず、図面表示制御ファイル２ｃを検索し、部材コードＹＣ−４１４４が登録されていることを検索するとともに、部材コードＹＣ−４１４４に対応する表示コードとして、ａが登録されていることを確認し、表示コードａを読み込む。
【００３５】
そして、上記一階の洋間１が、例えば、図３の部屋領域１０に対応する場合には、表示コードａに対応するパターン図形をパターン図形ファイル２ｄから読み込み、間取り図上の部屋領域１０に表示コードａに対応するパターン図形を割り付ける。
なお、上記割付部材コードファイル２ｂに部材コードに対応して登録された割付位置は、上述のように、住宅の何階かを規定するコードと、住宅の設計に際し、住宅の各部屋に付けられた部屋名（和室１、和室２、洋室１、トイレ、ホール１等の部屋の種類と、同じ種類の部屋を区別するための番号とからなる）を規定するコードとからなっており、上記割付位置を指示することにより、例えば、図３上の部屋領域１０や部屋領域１１を指示できるようになっている。
【００３６】
以上のようにパターン図形が割り付けられた間取り図を出力することにより、床仕上材の種類を認識できる間取り図を出力することができる。
そして、この実施例の設計支援装置においては、上記間取り図上のパターン図形の表示が、上記図面表示制御ファイル２ｃのデータ、すなわち、パターン図形を表示する部材の部材コードと、パターン図形の種類を示す表示コードとにより制御されているので、図面表示制御ファイル２ｃに各部材コードに対応して表示コードを登録するか否かにより、パターン図形の有無を変更することができる。
また、各部材コードに対応する表示コードを変更することにより、間取り図に付加するパターン図形を変更することができる。
【００３７】
さらに、設計支援装置内で使用できる部材が変更され、新たな床仕上材が使用できるようになった場合には、新たな床仕上材の部材コードと、新たな床仕上材の種類に対応する表示コードとを図面表示制御ファイル２ｃに登録することにより、対応することができる。
【００３８】
また、設計支援装置内で使用することができた部材が、生産中止などにより使用できなくなった場合には、必要により、使用できなくなった部材の部材コードと、該部材コードに対応する表示コートとを図面表示制御ファイル２ｃから抹消することにより対応することができる。
【００３９】
従って、本実施例の設計支援装置においては、間取り図上に床仕上材の種類を示すパターン図形を表示できるとともに、各床仕上材にパターン図形を用いるか否かと、各床仕上材に対応するパターン図形の変更と、新規の床仕上材や抹消された床仕上材への対応を、設計支援装置のプログラムの変更ではなく、図面表示制御ファイルの変更により対応することができ、プログラムを変更するよりも、極めて容易に対応することができる。
【００４０】
従って、以上のような処理は、プログラマではなく、設計支援装置のユーザーが、図面表示制御ファイルの変更を行うことにより対応することができる。
なお、上記実施例においては、間取り図上に、床仕上材の種類を示すパターン図形を付加するものとしたが、同様に、内観の立面図やパース図において、内壁仕上材、天井仕上材、床仕上材等の部材の各種類を示すパターン図形を表示することもできる。
【００４１】
また、外観の立面図やパース図において、外壁仕上材、屋根葺材等の部材の各種類を示すパターン図形を表示することもできる。
また、上記各種図面をカラー出力するものとするならば、パターン図形に代えて、色もしくは色とパターン図形の組み合わせにより部材の種類を示すものとしても良い。
【００４２】
【発明の効果】
以上、詳細に説明したように本発明の設計支援装置によれば、上記割付部材表示手段が、上記割付部材コードファイルに登録された部材コードに基づいて図面表示制御ファイルを検索して、上記部材コードに対応する表示コードの有無を判断し、上記部材コードに対応する表示コードが有る場合に、上記部材コードに対応する割付部材コードファイルの割付位置及び図面表示制御ファイルの表示コードに基づいて、出力すべき図面上に割付部材の種類を示す表示を付加することができる。
【００４３】
また、設計支援装置上に新たに割付可能な部材が登録され場合には、上記図面表示制御ファイルに新たな部材の部材コードと該部材コードに対応する表示コードを登録することにより、出力すべき図面上に新たな部材の種類を示す表示を付加することができる。
また、上記図面表示制御ファイルにおいて表示コードを変更することにより各部材に対する表示を容易に変更することができる。
従って、新たな部材の追加や、表示の変更は、上記割付部材表示手段の変更を必要とせず、単に、図面表示制御ファイルにおいて、部材コードを追加したり、表示コードを変更することにより容易に行うことができる。
【図面の簡単な説明】
【図１】本発明の一実施例の設計支援装置の基本構成を示すブロック図である。
【図２】上記実施例の設計支援装置内で用いられる図面表示制御ファイルを説明するための図表である。
【図３】上記実施例の設計支援装置から出力される間取り図の一例を示す図面である。
【図４】上記実施例の設計支援装置から出力される間取り図の一例を示す図面である。
【符号の説明】
１      演算処理装置（割付部材表示手段）
２      記憶装置（第一の記憶手段ａ）
２ｂ    割付部材コードファイル
２ｃ    図面表示制御ファイル
【図１】
0003999281.tif 000002
【図２】
0003999281.tif 000003
【図３】
0003999281.tif 000004
【図４】
0003999281.tif 000005